【手続補正書】
【提出日】平成15年4月1日(2003.4.1)
【手続補正１】
【補正対象書類名】明細書
【補正対象項目名】特許請求の範囲
【補正方法】変更
【補正の内容】
【特許請求の範囲】
【請求項１】
２つ以上の重合体成分を別々に溶融するステップと、紡糸口金オリフィスから前記２つ以上の溶融重合体成分を押出して多成分フィラメントを形成するステップと、前記フィラメントを急冷空気と接触させて前記フィラメントを冷却および凝固するステップと、細長化器内で前記フィラメントを空圧的に細長化および延伸するステップと、動いている通気性連続ベルト上に前記フィラメントをランダムに堆積してほぼ連続するフィラメントから成る不織布を形成するステップと、結合器を通過するように前記ウェブを導き、前記フィラメントを結合させて、前記ウェブを凝集性不織布に加工するステップとを含んでいる、多成分フィラメントからスパンボンド不織布を製造するプロセスにおいて、
スピンビーム組立体を通過するように前記２つ以上の溶融重合体成分を別々に導き、前記スピンビーム組立体は分配プレートを備え、該分配プレートは、前記別々の溶融重合体成分が複数の紡糸口金オリフィスで組合せられ、多成分フィラメントを形成するように構成され、前記紡糸口金オリフィスは、メートル当り少なくとも３０００オリフィスの密度で配置され、独立して制御可能な第１のブロワから前記急冷チャンバに流入して、フィラメントと接触するように急冷空気を導き、前記フィラメントを冷却および凝固し、前記フィラメントと一緒に前記細長化器を通過するように前記急冷空気を導き、前記フィラメントを前記細長化器から取出してフィラメント堆積装置を通過させ、前記動いている通気性ベルト上に堆積させて、独立して制御可能な第２のブロワにより前記通気性ベルトの下方から吸引し、前記堆積装置および前記通気性ベルトを通過するように空気を吸引することを特徴とするプロセス。
【請求項２】
前記２つ以上の重合体成分は、横断面で見て、シースとコアの模様、横並び模様、複数の扇形に切断されたパイの模様、海に浮かぶ複数の孤島の模様、あるいは傾斜模様から選択された模様の形態で配置されている、請求項１に記載のプロセス。
【請求項３】
一方の重合体成分はポリエチレンであり、他方の重合体成分はポリプロピレンである、請求項１に記載のプロセス。
【請求項４】
前記スピンビーム組立体を通過するように導かれ、前記紡糸口金オリフィスで組合せられる前記重合体成分は、シース・コア模様の２成分フィラメントを形成するように配置されている２つの重合体成分であり、前記重合体成分のうち第１のものはポリプロピレンであり、第２の重合体成分は、前記ポリプロピレン重合体成分と異なる性質の重合体である、請求項１に記載のプロセス。
【請求項５】
前記第１の重合体成分はポリエチレンである、請求項４に記載のプロセス。
【請求項６】
前記第２の重合体成分は異なるポリプロピレンである、請求項４に記載のプロセス。
【請求項７】
結合器を通過するように前記ウェブを導くステップは、型押されたカレンダーロールを含むカレンダーを通過するように前記ウェブを導いて、前記布全体に散在する点結合を形成することを含んでいる、請求項１に記載のプロセス。
【請求項８】
それぞれ２つ以上の重合体成分を別々に溶融する２つ以上の押出機と、前記押出機に接続され、前記押出機から前記溶融重合体成分を別々に受取り、紡糸口金オリフィスから前記重合体成分を押出して、多成分フィラメントを形成するスピンビーム組立体と、前記紡糸口金オリフィスから押出された前記フィラメントを受取り、前記フィラメントを急冷空気と接触させて、前記フィラメントを冷却および凝固するように配置されている急冷ゾーンと、前記フィラメントを受取るように配置され、前記フィラメントを空圧的に細長化および延伸するように構成されている細長化器と、前記フィラメントを結合して、前記フィラメントから凝集性不織布を形成する結合器とを備えている、多成分フィラメントからスパンボンド不織布を製造するシステムにおいて、
前記スピンビーム組立体は、前記別々の溶融重合体成分が複数の紡糸口金オリフィスで組合せられ、多成分フィラメントを形成するように構成された分配プレートを備え、前記紡糸口金オリフィスは、メートル当り少なくとも３０００オリフィスの密度で配置され、独立して制御可能な第１のブロワを有する急冷チャンバが、前記フィラメントと接触するように急冷空気を導き、前記フィラメントを冷却および凝固するように配置され、前記フィラメントと一緒に前記細長化器を通過するように前記急冷空気を導き、フィラメント堆積装置が、前記細長化器から出た前記フィラメントを受取るように配置されており、前記フィラメントは、前記動いている通気性ベルトの上に堆積され、独立して制御可能な第２のブロワにより前記通気性ベルトの下方から吸引して、前記堆積装置および前記通気性ベルトを通過するように空気を吸引したことを特徴とするシステム。
【請求項９】
前記別々の溶融重合体成分が組合せられて成す横断面が、シースとコアの模様、横並び模様、複数の扇形に切断されたパイの模様、海に浮かぶ複数の孤島の模様、あるいは傾斜模様から選択されるように、前記分配プレートが構成されている、請求項８に記載のシステム。
【請求項１０】
前記一方の重合体成分はポリプロピレンであり、前記他方の重合体成分はポリエチレンである、請求項８に記載のシステム。
【請求項１１】
前記スピンビーム組立体を通過するように導かれ、前記紡糸口金オリフィスで組合せられる前記重合体成分は、シース・コア模様の２成分フィラメントを形成するように配置されている２つの重合体成分であり、前記重合体成分のうち第１のものはポリプロピレンであり、第２の重合体成分は、前記ポリプロピレン重合体成分と異なる性質の重合体である、請求項１０に記載のシステム。
【請求項１２】
前記第２の重合体成分は別のポリエチレンである、請求項１１に記載のシステム。
【請求項１３】
前記第２の重合体成分は別のポリプロピレンである、請求項１１に記載のシステム。
【請求項１４】
前記結合器は、前記布全体に散在する点結合を形成し、型押されたカレンダーロールを含むカレンダーを備えている、請求項８に記載のシステム。
【手続補正２】
【補正対象書類名】明細書
【補正対象項目名】０００２
【補正方法】変更
【補正の内容】
【０００２】
［発明の概要］
国際公開番号ＷＯ００／０８２４３号によると、多成分フィラメントを有するスパンボンド不織布は、２つ以上の重合体成分を別々に溶融し、紡糸口オリフィスから前記２つ以上の溶融重合体成分を押出して多成分フィラメントを形成し、前記フィラメントを急冷空気と接触させて前記フィラメントを冷却および凝固し、細長化器内で前記フィラメントを空圧的に細長化および延伸し、動いている通気性連続ベルト上に前記フィラメントをランダムに堆積してほぼ連続するフィラメントから成る不織布を形成し、結合器を通過するように前記ウェブを導き、前記フィラメントを結合させて前記ウェブを凝集性不織布に加工することにより製造されている。


【手続補正３】
【補正対象書類名】明細書
【補正対象項目名】０００３
【補正方法】変更
【補正の内容】
【０００３】
本発明は、柔らかさ、強さ、質およびコストの間のバランスが予想外に優れた不織布を提供するものである。これらの布の製造プロセスおよびシステムは、融通性と、当技術分野でこれまで提供あるいは提案されたことのなかった優れた質および低コストの製品設計とを提供する。


【手続補正４】
【補正対象書類名】明細書
【補正対象項目名】０００４
【補正方法】変更
【補正の内容】
【０００４】
本発明の１つの態様では、前記別々の溶融重合体成分が複数の紡糸口金オリフィスで組合せられ、２つ以上の重合体成分を含むフィラメントを形成するように構成された分配プレートを有しているスピンビーム組立体を通過させて前記２つ以上の溶融重合体成分を別々に導き、前記紡糸口金オリフィスは、メートル当り少なくとも３０００オリフィスの密度で配置され、独立して制御可能な第１のブロワから前記急冷チャンバに流入して、フィラメントと接触するように急冷空気を導き、前記フィラメントを冷却および凝固し、前記フィラメントと一緒に前記細長化器を通過するように前記急冷空気を導き、前記フィラメントを前記細長化器から取出してフィラメント堆積装置を通過させ、前記動いている通気性ベルト上に堆積させて、独立して制御可能な第２のブロワにより前記通気性ベルトの下方から吸引し、前記堆積装置および前記通気性ベルトを通過するように空気を吸引することを特徴とする多成分フィラメントからスパンボンド不織布を製造するプロセスが提供される。
また、本発明は、多成分フィラメントからスパンボンド不織布を製造するシステムも提供する。このシステムは、それぞれ２つ以上の重合体成分を別々に溶融する２つ以上の押出機と、前記押出機に接続され、前記押出機から前記溶融重合体成分を別々に受取り、紡糸口金オリフィスから前記重合体成分を押出して、多成分フィラメントを形成するスピンビーム組立体と、前記紡糸口金オリフィスから押出された前記フィラメントを受取り、前記フィラメントを急冷空気と接触させて、前記フィラメントを冷却および凝固するように配置されている急冷ゾーンと、前記フィラメントを受取るように配置され、前記フィラメントを空圧的に細長化および延伸するように構成されている細長化器と、前記フィラメントを結合して、前記フィラメントから凝集性不織布を形成する結合器とを備えている。本発明のシステムでは、前記スピンビーム組立体は、前記別々の溶融重合体成分が複数の紡糸口金オリフィスで組合せられ、多成分フィラメントを形成するように構成された分配プレートを備え、前記紡糸口金オリフィスは、メートル当り少なくとも３０００オリフィスの密度で配置され、独立して制御可能な第１のブロワを有する急冷チャンバが、前記フィラメントと接触するように急冷空気を導き、前記フィラメントを冷却および凝固するように配置され、前記フィラメントと一緒に前記細長化器を通過するように前記急冷空気を導き、フィラメント堆積装置が、前記細長化器から出た前記フィラメントを受取るように配置されており、前記フィラメントは、前記動いている通気性ベルトの上に堆積され、独立して制御可能な第２のブロワにより前記通気性ベルトの下方から吸引して、前記堆積装置および前記通気性ベルトを通過するように空気を吸引することを特徴としている。